(57)【要約】【課題】使用者が上半身に感じる振動の揺れを抑制することにより、使用者に快適な寝心地感を与えることができる振動発生機能付ベッドパッドを提供する。【解決手段】振動発生機能付ベッドパッド１は、上層５、中層６及び下層７の３層からなる３層構造を有し、上層５及び下層７が弾性のある材料により形成され、中層６は使用者の上半身側に対応する上半身対応部６ａと下半身側に対応する下半身対応部６ｂとに２分されており、上半身対応部６ａが弾性のある材料で形成されるとともに、下半身側対応部６ｂが上半身対応部６ａよりも硬度が高く振動伝播性の良い材料により形成されている。そして、振動発生器４は、下半身対応部６ｂにのみ取り付けられている。【選択図】図１
2009100805.tif 000002
【特許請求の範囲】
【請求項１】
上層、中層及び下層の３層からなる３層構造を有し、振動発生器が中層に取り付けられた振動発生機能付ベッドパッドであって、上層及び下層がそれぞれ弾性を有する材料により形成され、中層は、使用者の上半身側に対応する上半身対応部と下半身側に対応する下半身対応部とに２分されており、上半身対応部が弾性を有する材料により形成されるとともに、下半身対応部が上半身対応部よりも硬度の高い材料により形成され、下半身対応部にのみ振動発生器が取り付けられてなることを特徴とする振動発生機能付ベッドパッド。
【請求項２】
前記上半身対応部と前記下半身対応部とは互いの対向面同士が接触しているが接着されていないことを特徴とする請求項１記載の振動発生機能付ベッドパッド。 
【発明の詳細な説明】
【技術分野】
【０００１】
本発明は、振動発生機能付ベッドパッドに関するものである。
【背景技術】
【０００２】
従来から、振動発生機能付ベッドパッドとして、内部構造が２層構造または３層構造となった体感音響ベッドパッドが提案されている。ここで、内部構造が２層構造の体感音響ベッドパッドにおいては、上層及び下層のいずれもがポリエステル系固綿で形成され、振動発生器が上層に取り付けられたものがある。また、内部構造が３層構造の体感音響ベッドパッドにおいては、上層と中層とがウレタン材で形成され、下層が振動伝播性の良い発泡ポリウレタンで形成され、振動発生器が下層に取り付けられたものや、上層、中層及び下層の全てがウレタン材で形成され、振動発生器が中層に取り付けられたものがある。
【０００３】
また、従来から、図４に示すように、上層５’、中層６’及び下層７’の３層からなる３層構造を有し、下層７’が弾性復元力を有するとともに睡眠の妨げとなる外部からの振動を吸収する発泡ポリウレタンで形成され、中層６’が発泡ポリエチレンで形成され、上層５’が通気性及び弾性復元力を有する発泡ポリウレタンで形成されており、中層６’と上層５’の間に振動発生器４’が使用者の上半身側に対応する部分と下半身側に対応する部分とに跨る形で配設され、可聴音声を出力する小型のスピーカ９，９を使用者の上半身側に配設してなる振動発生機能付の布団体１’が提案されている（特許文献１参照）。
【特許文献１】実開平４−０１５４６６号公報
【発明の開示】
【発明が解決しようとする課題】
【０００４】
しかしながら、図４に示した構成の振動発生機能付の布団体１’では、振動発生器４’の真上は充分な振動の揺れを感じることができるが振動発生器４’の真上から外れた所では、充分な振動の揺れを感じることができず、しかも使用者の上半身に振動を与えると不快に感じる場合があった。
【０００５】
また、振動発生器４’の真上から外れた所でも充分な振動の揺れを感じることができるように使用する材料に硬度が高く振動伝播性の良い材料を選定すると、振動伝播性の良さと寝心地感の良さとは相反する関係にあるため、寝心地感が悪くなることがあった。
【０００６】
本願発明は、上記事由に鑑みてなされたものであり、その目的は、使用者が上半身に感じる振動の揺れを抑制することにより、使用者に快適な寝心地感を与えることができる振動発生機能付ベッドパッドを提供する。
【課題を解決するための手段】
【０００７】
請求項１の発明は、上層、中層及び下層の３層からなる３層構造を有し、振動発生器が中層に取り付けられた振動発生機能付ベッドパッドであって、上層及び下層がそれぞれ弾性を有する材料により形成され、中層は、使用者の上半身側に対応する上半身対応部と下半身側に対応する下半身対応部とに２分されており、上半身対応部が弾性を有する材料により形成されるとともに、下半身対応部が上半身対応部よりも硬度の高い材料により形成され、下半身対応部にのみ振動発生器が取り付けられてなることを特徴とする。
【０００８】
この発明によれば、使用者の上半身側に対応する上半身対応部と下半身側に対応する下半身対応部とに２分されており、振動発生器が下半身対応部にのみ取り付けられるので、使用者が上半身に感じる振動の揺れが抑制され、且つ、上層、中層の上半身対応部、下層がそれぞれ弾性を有する材料により形成されるので、使用者に快適な寝心地感を提供することができる。また、振動発生器が取り付けられる下半身対応部は、硬度が高く振動伝播性の良い材料で形成されるので振動発生器取り付け箇所周辺における振動伝播性を向上させることができ、使用者はベッドパッド表面における振動発生器の真上から外れた所でも充分な振動の揺れを感じることが可能となる。
【０００９】
請求項２の発明は、請求項１の発明において、前記上半身対応部と前記下半身対応部とは互いの対向面同士が接触しているが接着されていないことを特徴とする。
【００１０】
この発明によれば、前記上半身対応部と前記下半身対応部とは互いに対向面同士が接触しているが接着されていないので、前記下半身対応部を伝播してきた振動が前記上半身対応部と前記下半身対応部との間で減衰されるので、使用者が上半身に感じる振動の揺れが抑制され、使用者に快適な寝心地感を提供することができる。
【発明の効果】
【００１１】
請求項１の発明によれば、使用者が上半身に感じる振動の揺れが抑制され、使用者に快適な寝心地感を提供することができる。
【発明を実施するための最良の形態】
【００１２】
本実施形態の振動発生機能付ベッドパッド１は、体感音響ベッドパッドであって、図１及び図２に示すように、上層５、中層６及び下層７の３層からなる３層構造を有し、中層６が、使用者Ｄ（図３参照）の上半身側に対応する上半身対応部６ａと下半身側に対応する下半身対応部６ｂとに２分されている。ここにおいて、本実施形態の中層６は、長手方向の中央で２分されている。また、下半身対応部６ｂに、振動発生器（本実施形態では、音楽の低音域に相当する低周波を発振する低周波発振器）４が取り付けられている。ここで、上半身対応部６ａと下半身対応部６ｂとは、互いの対向面同士は接触しているが接着されていない。また、下半身対応部６ｂには、振動発生器４を取り付けるための円形状の貫通孔６１ｂが貫設されており、下層７において中層６の貫通孔６１ｂに対応した位置には、円形状の貫通孔７１が貫設されている。
【００１３】
振動発生器４は、上部４１及び下部４２の外周形状が円形状であり、上部４１の外径よりも下部４２の外径のほうが大きく形成されており、中層６における貫通孔６１ｂに上部４１が挿入され、下部４２が貫通孔６１ｂの周部下面に当接する形で取り付けられている。なお、振動発生器４の形状は特に限定するものではない。
【００１４】
そして、下層７に貫設された貫通孔７１の内径は、振動発生器４の下部４２の外径よりも大きく形成されており、下層７は、振動発生器４の下部４２が貫通孔７１に上側から挿入され、下層７の上面と上半身対応部６ａ及び下半身対応部６ｂの下面とが当接している。ここで、下層７の貫通孔７１の内径は振動発生器４の重さにより下半身対応部６ｂの振動発生器４取付部（中層６における貫通孔６１ｂの周部）付近が下側に撓まない程度に大きく形成されている。また、上層５は、中層６の上半身体対応部６ａ及び下半身対応部６ｂの上面を覆う形で配置されている。
【００１５】
ここで、上層５と中層６の上半身対応部６ａと下層７とは、寝心地感を重視した弾性のある材料で形成され、中層６の下半身対応部６ｂは上半身対応部６ａに比べて硬度が高く振動伝播性の良い材料で形成されている。具体的には、上層５は、硬度が２００Nのウレタン材で形成され、中層６の上半身対応部６ａは、硬度が１３０Ｎのウレタン材で形成され、下層７は、硬度が２８０Nのウレタン材で形成されている。そして、中層６の下半身対応部６ｂは、発泡ポリエチレンで形成されているがこれらの材料に限定されるものではない。
【００１６】
そして、上述の上層５、中層６及び下層７の３層から構成される３層構造の全体を覆う形で内カバー３が被着され、更に、当該内カバー３の全体を覆う形で外カバー２が被着されている。
【００１７】
次に、振動発生機能付ベッドパッド１の使用形態について図３に基づいて説明する。
【００１８】
振動発生機能付ベッドパッド１は、例えば、図３に示すように、床Ｃ上に設置されたベッド台１０１上に敷設されたマットレス１０２上に配置して使用される。ここで、上述のように振動発生器４は中層６の下半身対応部６ｂのみに取り付けられており、中層６の上半身対応部６ａと下半身対応部６ｂとは互いの対向面同士が接着されていない。また、上層５、中層６の上半身対応部６ａ及び下層７は弾性のある寝心地感を重視したウレタン材で形成されている。しかして、下半身対応部６ｂから上半身対応部６ａ側へ伝播してきた振動は、上半身対応部６ａと下半身対応部６ｂとの間で減衰されるので、使用者Ｄが上半身に感じる振動の揺れを抑制することができ、使用者Ｄに快適な寝心地感を与えることができる。また、中層６の下半身対応部６ｂは硬度が高く振動伝播性の良い材料である発泡ポリエチレンで形成されているので、使用者Ｄは下半身対応部６ｂの振動発生器４取り付け箇所周辺でも充分な振動の揺れを感じることができる。
【００１９】
ところで、振動発生器４から発生した振動は、中層６の下半身対応部６ｂを介して下層７にも伝播し、下層７に伝播した振動は、振動発生機能付ベッドパッド１の下面からマットレス１０２とベッド台１０１を介して床Ｃに伝播することになり、床Ｃに伝播された振動がベッド台１０１周辺に居る人に不快感を与えることが懸念される。
【００２０】
しかし、本実施形態の振動発生機能付ベッドパッド１では、上述のように、下層７の貫通孔７１の内径は振動発生器４の重さにより中層６の下半身対応部６ｂの振動発生器４取付部付近が下側に撓まない程度に大きく形成されているので、振動発生器４で発生して下半身対応部６ｂを介して下層７へ伝播する振動を減衰させる。しかして、床Ｃに伝播する振動を減衰させることができるので、床Ｃに伝播された振動がベッド台１０１周辺に居る人に不快感を与えるのを防止することができる。
【００２１】
なお、本実施形態では、振動発生器４として音楽の低音域に相当する低周波を発振する低周波発振器を使用した振動発生機能付ベッドパッド１について例示したが、これに限定されるものではなく、例えば、振動発生器４としてマッサージ機等に用いられる振動発生器などを用いてもよい。
【図面の簡単な説明】
【００２２】
【図１】実施形態の体感音響ベッドパッドを示し、（ａ）は側断面図、（ｂ）は（ａ）の断面と直交する側断面図である。
【図２】同上の分解した構成部品の側断面図である。
【図３】同上の使用状態を示し、（ａ）は上側から見た概略図、（ｂ）は側方から見た概略図である。
【図４】従来例を示し、（ａ）上面図、（ｂ）は側断面図である。
【符号の説明】
【００２３】
１  振動発生機能付ベッドパッド
４  振動発生器
５  上層
６  中層
６ａ  上半身対応部
６ｂ  下半身対応部
７  下層
【図１】
2009100805.tif 000003
【図２】
2009100805.tif 000004
【図３】
2009100805.tif 000005
【図４】
2009100805.tif 000006